(57)【要約】【課題】  ユーザの望む時間に望む動作をカメラが行えるようにする。【解決手段】  日時および動作（撮影，画像再生，画像消去など）を予めセットで複数登録可能とする。登録した日時になるたびに、電源オン状態になるとともに、その日時に対応して登録されている動作を実行し、動作終了後に電源オフ状態に復帰する。例えば、上記日時および動作が記録されたメモリカードをカメラ本体に装填することで上記登録がなされるようにもできる。【選択図】        図２
2006041674.tif 000002
【特許請求の範囲】
【請求項１】
日時および動作を予めセットで複数登録可能とし、
前記登録した日時になるたびに、電源オン状態になるとともに、その日時に対応して登録されている動作を実行し、動作終了後に電源オフ状態に復帰することを特徴とする電子カメラ。
【請求項２】
所定条件が満たされない場合には、前記登録した日時となっても前記登録された動作は行わないことを特徴とする請求項１に記載の電子カメラ。
【請求項３】
ユーザの電源オン操作によりカメラの電源がオンされているときは、前記登録した日時となっても登録された動作は行わないことを特徴とする請求項２に記載の電子カメラ。
【請求項４】
通常の撮影を行うモードが設定されているときには、前記登録した日時となっても登録された動作は行わないことを特徴とする請求項２に記載の電子カメラ。
【請求項５】
前記登録すべき動作は、複数のカメラ動作から選択可能であることを特徴とする請求項１〜４のいずれかに記載の電子カメラ。
【請求項６】
前記動作の条件をも登録可能とし、その条件に基づいて前記登録された動作を行うことを特徴とする請求項１〜５のいずれかに記載の電子カメラ。
【請求項７】
日時および動作が記録された記録媒体をカメラ本体に装填することで前記登録がなされることを特徴とする請求項１〜６のいずれかに記載の電子カメラ。
【発明の詳細な説明】
【技術分野】
【０００１】
本発明は電子カメラに関し、予め設定した時刻に所望のカメラ動作を行わしめるものである。
【背景技術】
【０００２】
特許文献１には、予め設定した時刻になると音等で告知を行う、いわゆる目覚まし機能を持った電子カメラが記載されている。このカメラは、告知開始後にレリーズボタンを操作すると告知を停止するようになっている。
【０００３】
【特許文献１】特開２００３−１７９７８９号公報
【特許文献２】特開２００１−３５８９７７号公報
【発明の開示】
【発明が解決しようとする課題】
【０００４】
特許文献１のカメラは、単に目覚まし時計が持つ目覚まし機能をカメラに持たせたに過ぎず、カメラとしての動作を所望の日時に自動的に行わしめるものではない。
【課題を解決するための手段】
【０００５】
本発明に係る電子カメラは、日時および動作を予めセットで複数登録可能とし、登録した日時になるたびに、電源オン状態になるとともに、その日時に対応して登録されている動作を実行し、動作終了後に電源オフ状態に復帰する。
ここで、上記電源オフ状態とは、電子カメラのメイン動作を行う部位が停止している状態を意味し、電源オン状態とはその部位に給電されて動作が可能である状態を意味する。
請求項２〜４の発明は、所定条件が満たされない場合には、登録した日時となっても登録された動作は行わないようにしたものである。
特に請求項３の発明は、ユーザの電源オン操作によりカメラの電源がオンされているときは、登録した日時となっても登録された動作は行わないようにしたものである。
請求項４の発明は、通常の撮影を行うモードが設定されているときには、登録した日時となっても登録された動作は行わないようにしたものである。
請求項５の発明は、登録すべき動作を、複数のカメラ動作から選択可能としたものである。
請求項６の発明は、上記動作の条件をも登録可能とし、その条件に基づいて登録された動作を行うようにしたものである。
請求項７の発明は、日時および動作が記録された記録媒体をカメラ本体に装填することで上記登録がなされるよう構成したものである。
【発明の効果】
【０００６】
本発明によれば、日時および動作を予めセットで複数登録可能とし、登録した日時になるたびに、電源オン状態になるとともに、その日時に対応して登録されている動作を実行し、動作終了後に電源オフ状態に復帰するようにしたので、ユーザの望む時間に望む動作を行わしめることが可能となる。また、動作を行うとき以外はカメラは電源オフ状態に保持されるので、省電力に寄与する。
【発明を実施するための最良の形態】
【０００７】
図１および図２により本発明の一実施の形態を説明する。
図１は本実施形態における電子カメラのブロック図である。カメラの制御系はメイン装置１００と起動装置２００とに大別され、これらは電池１からメイン電源装置（ＤＣ／ＤＣコンバータ）１１０を介して給電を受ける。
【０００８】
メイン装置１００は、メインＣＰＵ１０１の他に、カメラの基本動作を実行するために必要な撮像回路１０２，画像処理回路１０３，ＬＣＤモニタ１０４，ＬＣＤドライバ１０５，フラッシュＲＯＭ１０６やＲＡＭ１０７等のメモリを有する。メモリカード１０８は不図示のカードスロットに挿脱可能とされ、メインＣＰＵ１０１は、カード装填時に画像データやその他のデータをメモリカード１０８に記録したり、また記録された情報を読み取ることが可能である。
【０００９】
起動装置２００は、例えば多機能マイコンから成り、起動装置ＣＰＵ（以下、サブＣＰＵ）２０１，時計２０２，時刻比較装置２０３，スイッチ検出装置２０４，メイン電源制御装置２０５，メインＣＰＵ起動装置２０６，ＲＡＭ２０７やＲＯＭ２０８のメモリを有する。２１０は、時計２０２を駆動したりメモリの記憶情報を保持するための電池である。また起動装置２００とメイン装置１００は、例えばシリアル通信などの通信手段１０９，２０９を介して互いにデータの授受が可能とされる。
【００１０】
カメラの電源スイッチがオン操作されると、サブＣＰＵ２０１はスイッチ検出装置２０４を介してその旨を検知し、メイン電源制御装置２０５およびメインＣＰＵ起動装置２０６を介してメイン電源をオンするとともに、メインＣＰＵ１０１を起動する。これにより撮影を始めとする通常のカメラ動作が可能となる。また本実施形態のカメラは、通常のカメラ動作の他に、予め日時および動作を登録しておくことで、任意の日時に任意の動作を自動的に行わしめることが可能である。以下、その詳細を説明する。
【００１１】
ユーザは、カメラに対してカメラを起動する日時（以下、起動日時）と起動時に行うべき動作（以下、起動動作）とをセットで登録する。情報の入力は、例えばカメラに設けられた操作部材を用いて行い、入力された情報がＲＡＭ１０７等に記憶（登録）されるようにしてもよいし、あるいは予め画像記録用のメモリカード１０８に情報を記録しておき、カード１０８をカメラに装填すると、上記記録情報がメインＣＰＵ１０１にて読み取られるよう構成してもよい。いずれのケースでも起動日時および動作はセットで複数登録可能であり、複数登録する場合にはカードを用いた方が使い勝手がよい。この場合、他の入力装置（例えばパーソナルコンピュータ）を用いてカードに情報を入力できるようにすると更に便利である。
【００１２】
登録した起動日時に起動動作を行わしめるには、カメラで登録動作モードが設定されていなければならない。このモードは、例えばカメラの操作部材やメニュー設定などにおいて、通常の撮影モードから切換えることで設定する。
【００１３】
図２は登録動作モード設定時の処理を示している。なお、図の右側はメイン装置１００の処理の流れを、左側は起動装置２００の処理の流れをそれぞれ示す。
メインＣＰＵ１０１は、ステップＳ１において、ＲＡＭ１０７あるいはメモリカード１０８に格納された登録情報を読み出し、これを通信手段１０９，２０９を介して起動装置２００に送信する。送信される登録情報は、登録された日時のうち次に到来する起動日時とそれに対応する起動動作である。なお、登録された動作が全て完了している場合には、完了情報を送信する。次いでステップＳ２では、メイン装置１００の停止要求を送信し、その後、ステップＳ３で起動されるのを待つ。
【００１４】
サブＣＰＵ２０１は、ステップＳ２１で通信手段２０９を介して上記登録情報または完了情報の受信を確認すると、ステップＳ２２でその情報をＲＡＭ２０７に格納する。次いでステップＳ２３で停止要求を受信すると、ステップＳ２４でメイン電源制御装置２０５を介してメイン電源を落とし、メインＣＰＵ１０１を停止する（カメラを電源オフ状態とする）。ステップＳ２５では、受信した情報が完了情報か否かを判定し、完了情報であった場合にはそのまま終了し、登録情報（起動日時および動作）であった場合には、ステップＳ２６で起動日時が到来するまで待機する。この間、サブＣＰＵ２０１は、時計２０２から得た現在日時とＲＡＭ２０７に格納した起動日時とを時刻比較装置２０３において比較する動作を繰り返し、現在日時が起動日時と一致するとステップＳ２７に進む。
【００１５】
ステップＳ２７ではメイン装置１００を起動する（カメラを電源オン状態とする）。すなわち、メイン電源制御装置２０５およびメインＣＰＵ起動装置２０６を介してメイン電源をオンするとともに、メインＣＰＵ１０１を起動する。さらにステップＳ２８では、ＲＡＭ２０７に格納した起動動作の指示をメイン装置１００に送信する。ステップＳ２８の後はステップＳ２１に戻り、次の情報受信を待つ。
【００１６】
メインＣＰＵ１０１は、上記ステップＳ２７の動作によって起動されると、ステップＳ３からステップＳ４に進み、初期動作を行うとともに起動装置２００との通信を開始する。通信により起動動作の指示を受信すると、ステップＳ５からステップＳ６に進み、その起動動作に応じたプログラムを呼び出して実行する。これにより起動動作が行われる。動作完了後はステップＳ１に戻り、次の情報送信を行う。
【００１７】
ここで、上記ステップＳ２６での待機中に電源スイッチにより電源が投入された場合は、ユーザが通常どおりにカメラを使用するものと判断し、仮に電源オンの間に起動日時に達したとしても、サブＣＰＵ２０１は起動動作の指示を送信しない。換言すれば、スイッチ操作による電源投入によって登録動作モードは解除され、通常撮影モードが設定されることになる。その後、スイッチ操作で電源がオフされたら、再度通常撮影モードに切換わるようにしてもよい。
【００１８】
なお図２の処理では、起動時刻と起動動作から成る情報を１ずつ起動装置に渡すようにしたが、最初に複数渡すようにしてもよい。
【００１９】
次に、上記の登録動作モードによって実現可能な動作の具体例を説明する。
最も簡単な例は、特定の日時に撮影を行うというものである。所望する起動日時と、起動動作として「撮影」を登録しておけば、その時間になるまでメイン装置１００は停止状態に維持され、その時間になると起動して撮影を行い、撮影後に再び停止状態となる。ここでいう撮影とは、測距，測光、フォーカシング、露出設定、露光、画像データ記録等を含む動作を表す。
【００２０】
さらに、上記のような起動日時および起動動作をセットで複数登録することで、インターバル撮影が行える。例えば、「ある日付の１３時に撮影」、「同１４時に撮影」、「同１４時２０分に撮影」、のように登録すれば、それぞれの時間になるたびにメイン装置１００が停止状態から起動して撮影が行われ、停止状態に戻る。これによれば、従来のインターバル撮影と異なり、撮影間隔を１駒ごとに任意に設定可能である。勿論、複数日に跨ってインターバル撮影を行うことも可能であり、毎日同時刻に撮影を行うようにもできる。
【００２１】
登録すべき動作に付随して条件を登録できるようにしてもよい。例えば登録動作が「撮影」であれば、撮影レンズの焦点距離や閃光発光の有無を登録できるようにしてもよい。焦点距離を登録した場合には、メイン装置起動後にまずその焦点距離までズーミングが行われ、しかる後に撮影が行われる。閃光発光を指定した場合には、閃光撮影が行われる。
【００２２】
また撮影以外のカメラ動作として、記録された画像をＬＣＤモニタ１０４に表示する再生動作や、記録された画像を消去する消去動作があり、これらを起動動作として登録することも可能である。例えば、「ある日付の７時に撮影」、「同７時５分にその画像を再生」、「同８時にその画像を消去」のように登録し、これらの動作を順次行わしめることもできる。
【００２３】
さらに他のカメラ動作として、記録された画像データの外部装置への転送がある。カメラと外部装置とを接続しておき、登録しておいた日時になると、自動的にカメラが起動し、画像転送が行われ、全駒の転送終了後に電源オフとなるようにすることができる。ただし、この場合はカメラが外部装置に接続されていることが条件となる。また、充電器をも兼ねたクレードルにカメラを載置し、クレードル側の操作により画像転送を行う方法がある。この場合は、登録日時になるとカメラからクレードルに信号を送り、画像転送を開始させるようにすればよい。この場合はカメラがクレードルに載置されていることが条件となる。
【００２４】
また、複数の動作から成る一連のカメラ動作を繰り返し実行するという登録オプションを設けてもよい。この場合、その一連の動作の起動日時に加えて終了日時をも登録できるようにすることで、カメラを展示会や店頭販売におけるデモ機として利用することができる。例えば、店舗の開店時間になるとカメラが自動的に起動し、「ズーム→撮影→画像記録→画像再生→画像消去」から成る一連のデモ動作を繰り返し、閉店時間になると自動的に電源オフとなるようにできる。そして、これを連日行うよう設定すれば、店員はデモ機の管理に殆ど気を配る必要がなくなる。
【００２５】
さらに、上記機能は電池寿命測定にも大いに貢献する。ここでいう電池寿命とは、カタログスペックとして各カメラメーカーが機種ごとに公表する数値を指す。電池寿命は、各メーカーが同一条件で測定しないと顧客が比較検討できないため、現在では測定条件が規格化され、全カメラメーカーがそれに従うようになっている。測定条件には、液晶モニタの点灯条件、ズーミング条件、閃光装置の使用条件等の他、撮影間隔や電源オフ時間の挿入などがある。電源オフ時間の挿入は、所定駒数（例えば、１０駒）の撮影の後にカメラの電源をオフし、ある程度の時間が経過した後に再び電源をオンして撮影を続行するというものである。このような電池寿命測定は、メーカーにとって非常に手間のかかる作業である。
【００２６】
本実施形態の電子カメラを用いれば、電池寿命測定の開始日時と、測定条件に適った動作を起動動作としてカメラに登録しておくことで、カメラに自動的に測定を開始させ、電池寿命が尽きるまで所定の動作を繰り返させることができる。特にカメラは、上述したように起動動作が完了すると自動的に電源オフとなり、次の起動日時が到来すると電源オンとなるので、上記電源オフ時間の挿入にも難なく対応可能である。そして、測定結果をメモリカードあるいはメモリに記録するようにしておけば、測定後にそれを読み出すことで測定完了となる。これによれば、電池寿命測定に対する労力を大幅に軽減できる。
【００２７】
なお、メインＣＰＵ１０１とサブＣＰＵ（起動装置ＣＰＵ）とを別々に設けたが、単一のＣＰＵで賄ってもよい。
【図面の簡単な説明】
【００２８】
【図１】実施の形態における電子カメラのブロック図。
【図２】登録動作モード設定時のカメラ動作を示すフローチャート。
【符号の説明】
【００２９】
１００  メイン装置
１０１  メインＣＰＵ
１０２  撮像回路
１０８  メモリカード
１０９，２０９  通信手段
１１０  メイン電源装置
２００  起動装置
２０１  起動装置ＣＰＵ（サブＣＰＵ）
２０２  時計
２０３  時刻比較装置
２０５  メイン電源制御装置
２０６  メインＣＰＵ起動装置
【図１】
2006041674.tif 000003
【図２】
2006041674.tif 000004